(57)【要約】【課題】  ストラップを電子装置に取り付けない場合でも、ストラップを取り付けるための取付手段が、電子装置の外観にあまり影響を与えないような、電子装置を提供すること。【解決手段】    ハウジング（３）と、少なくとも１つの取り外し可能なカバー部材（４）と、を備えた携帯電子装置（１）であって、ハウジング（３）に設けられ、携帯電子装置（１）に対して持ち運び用ストラップ（２）を取り付けるためのストラップ取付手段を有している。ストラップ取付手段は、カバー部材（４）によって外部から見えない状態になっており、携帯電子装置（１）の外部からストラップ取付手段への、持ち運び用ストラップ（２）の通路を形成する開口部（１０）を備えている。
2005538559.tif 000002
【特許請求の範囲】
【請求項１】
ハウジング（３）と、少なくとも１つの取り外し可能なカバー部材（４）と、を備えた携帯電子装置（１）であって、
前記ハウジング（３）に設けられ、前記携帯電子装置（１）に対して持ち運び用ストラップ（２）を取り付けるためのストラップ取付手段を有し、
前記ストラップ取付手段は、前記カバー部材（４）によって外部から見えない状態になっており、
前記携帯電子装置（１）の外部から前記ストラップ取付手段への、持ち運び用ストラップ（２）の通路を形成する開口部（１０）を備えることを特徴とする携帯電子装置。
【請求項２】
前記ストラップ取付手段は、前記ハウジング（３）の一部に設けられた紐穴（１１）を含むことを特徴とする請求項１に記載の携帯電子装置。
【請求項３】
前記紐穴（１１）は、前記ハウジング（３）内において、内方に突出した舌状部（１２）内に設けられることを特徴とする請求項２に記載の携帯電子装置。
【請求項４】
前記紐穴（１１）は、前記ハウジング（３）の壁部（１４）の、内方に面した部分に設けられることを特徴とする請求項２に記載の携帯電子装置。
【請求項５】
前記ストラップ取付手段は、前記ハウジング内において内方に向かって設けられたフック（１５）を含むことを特徴とする請求項１に記載の携帯電子装置。
【請求項６】
凹部（８）が、前記取り外し可能なカバー部材（４）の端部に設けられ、前記凹部（８）は、前記ハウジング（３）の端部（９）と組み合わさって、前記持ち運び用ストラップ（２）の開口部（１０）を形成することを特徴とする請求項１乃至５の何れかに記載の携帯電子装置。
【請求項７】
前記取り外し可能なカバー部材（４）は、バッテリーカバーであることを特徴とする請求項１乃至６の何れかに記載の携帯電子装置。
【請求項８】
前記携帯電子装置（１）は、携帯電話のような携帯無線ステーションであることを特徴とする請求項１乃至７の何れかに記載の携帯電子装置。
【発明の詳細な説明】
【技術分野】
【０００１】
本発明は、ハウジングと、少なくとも１つの取り外し可能なカバー部材とを有し、携帯電子装置に対して持ち運び用ストラップを取り付けるためのストラップ取付手段をハウジングに備えた携帯電子装置に関する。
【背景技術】
【０００２】
持ち運び用ストラップを取り付けることのできる、無線電話や携帯電話、カメラ、ビデオカメラなどの、小型の携帯電子装置が知られており、ユーザは、そのストラップを手首に巻き付けながら、その電子装置を持ち運ぶことができる。
【０００３】
従来は、そういった持ち運び用ストラップは、少なくともその一部が、電子装置のハウジングの外面に設けられた紐穴を通して、電子装置に取り付けられていた。その紐穴は、電子装置のハウジングから突出するように形成されていた。或いは、ハウジングの１面からその面と隣接する他の面に向けて貫通した穴として設けられることもあった。このようなストラップ取付構造については、特許文献１及び特許文献２に記載がある。
【０００４】
また、他のストラップ取付構造については、特許文献３にも記載がある。この文献には、取り外し可能なストラップが設けられた携帯電話について開示されている。この装置においては、ストラップが、交換可能なバッテリパックの上端に設けられたフックに取り付けられる。その携帯電話のハウジングに設けられたラッチメカニズムが、フックの一部に噛み合い、それによって、その携帯電話のバッテリパックをロックするように構成されている。
【特許文献１】特開２００１−１６０８５１号公報
【特許文献２】特開２０００−３４１３８２号公報
【特許文献３】米国出願５７３７４１２号公報
【発明の開示】
【発明が解決しようとする課題】
【０００５】
しかしながら、上述の従来技術においては、ユーザが、電子装置にストラップを取り付けるか否か選択できる。もし、ユーザが、ストラップを取り付けることを選択すれば、紐穴にストラップを通すか、或いはバッテリパックに設けられたフックにストラップを引っかければよい。しかし、ユーザがストラップを取り付けないことを選択した場合には、例えば、ハウジング状の紐穴やバッテリパックのフックといった、ストラップの取付手段は外部から丸見えであって、その電子装置の全体的な外観をめちゃめちゃにしてしまう。
【０００６】
従って、本発明は、ストラップを電子装置に取り付けない場合でも、ストラップを取り付けるための取付手段が、電子装置の外観にあまり影響を与えないような、電子装置を提供することを目的とする。
【課題を解決するための手段】
【０００７】
上記目的を達成するため、本発明にあっては、取付手段が、取り外し可能なカバー部材によって外部から見えない状態になっており、携帯電子装置の外部からストラップ取付手段への、持ち運び用ストラップの通路を形成する開口部を備える携帯電子装置を提供する。
【０００８】
それにより、ストラップを取り付けない場合にも、電子装置のハウジングと取り外し可能なカバー部材との間の小さな開口が見えるのみであるため、ストラップ取付手段が、携帯電子装置の全体的な外観を損なうことがなくなる。より望ましい実施形態では、ストラップ取付手段は、ハウジングの一部に紐穴を有している。ストラップをしっかり取り付けるために紐穴を設けることは良く知られており、簡単かつ確実にストラップを取り付けることが可能となる。
【０００９】
紐穴は、ハウジング内において、内方に突出した舌状部に設けられてもよい。また、ハウジングの壁部の、内方に面した部分に設けられてもよい。どちらにしても、紐穴は、取り外し可能なカバー部材によって隠され、ストラップを取り付けない場合でも電子装置の外観は損なわれない。
【００１０】
紐穴を設ける代わりに、ストラップ取付手段は、ハウジング内において内方に向かって設けられたフックを含んでもよい。この形態であれば、ストラップの一部を単にフックの周りに巻き付けるだけでよいため、ストラップを容易に取り付けることができる。
【００１１】
凹部が、前記取り外し可能なカバー部材の端部に設けられることも好適である。この凹部は、ハウジングの端部と組み合わさって、ストラップ用の開口部を形成する。これにより、取り外し可能なカバー部材をハウジングに取り付けた場合に、その開口部が、形成されるにとどまる。
【００１２】
より好適な実施形態では、取り外し可能なカバー部材は、バッテリーカバーであって、携帯電子装置は、携帯電話のような携帯無線ステーションである。なお、本明細書において「備える」という単語は、記載された特徴、数、ステップ或いは構成要素の存在を特定するために用いられているのであって、他の特徴、数、ステップ、構成要素、或いはその組合せの存在や追加を排除するものでは無いことをここに強調しておく。
【発明の効果】
【００１３】
本発明によれば、ストラップを電子装置に取り付けない場合でも、ストラップを取り付けるための取付手段が、電子装置の外観にあまり影響を与えないような、電子装置を提供することができる。
【発明を実施するための最良の形態】
【００１４】
図１は、本発明の第１実施形態に係る、ストラップ２を取り付けた携帯電子装置１の一部を示している。この携帯電子装置１は、携帯電話であってもよい。電子装置１は、ハウジング３と、既知の方法でハウジングに対して取り外し可能に接続されている、取り外し可能なカバー部材４と、を備えている。ここで、ハウジング３は、携帯電話のフレーム或いはフロントカバーであってもよい。
【００１５】
本実施形態では、ストラップ２は、バンド部５と、ストリングループ部６とを備えて折、これらは、接続部材７によって互いに接続されている。バンド部５は、ユーザの手首に巻き付けられることを意図したものであり、ストリングループ部６は、図３Ａ〜図５Ｂに示すような方法で、電子装置１のハウジングに対して取り付けられることを意図したものである。ストラップ２は、もちろん図１に示された以外の構成、例えば、単純なループ状の紐またはバンドといった構成でもよい。
【００１６】
ストラップ２は、電子装置１内部に配置されたストラップ取付手段によって電子装置１のハウジング３に接続される。本発明によれば、このストラップ取付手段は、取り外し可能なカバー部材によって見えないように隠される。また、凹部８が、取り外し可能なカバー部材４の端部に設けられる。この凹部８は、隣接したハウジング３側の端部９と共に、ストラップ２のストリングループ部６用の小さな開口部１０を形成する。
【００１７】
もし、ストラップ２が例えば、ループ状のバンドまたは紐のみで形成されていた場合、凹部８及び開口部１０は、もちろん、それに従った寸法でなければならない。
【００１８】
図２は、携帯電子装置の図１と同じ部分を、ストラップ２が無い状態で示したものである。図２において、小さな開口部１０のみが、取り外し可能なカバー部材４の端部における凹部８と、それに隣接するハウジング３の端部９との間に設けられ、その開口部は、たとえ、ストラップ２が取り付けられない場合でも、電子装置１の外観をあまり損なわないことが、明瞭に示されている。
【００１９】
図３Ａ及び図３Ｂは、電子装置１のハウジング３における内方突出舌状部１２内に紐穴１１を有する、ストラップ取付手段の第１実施形態を示す図である。この舌状部１２は、ハウジング３の端部９から内方に突出しており、破線で示された、取り外し可能なカバー部材４によって完全に隠されている。
【００２０】
図３Ａ及び３Ｂに示された本実施形態では、取り外し可能なカバー部材４は、電子装置１に取り付けられた交換可能なバッテリー１３を覆うバッテリーカバーである。このような携帯電子装置の構成は、携帯電話の一部において一般的に知られている。しかし、本発明は、取り外し可能なカバー部材を備えた他のタイプの携帯電子装置にも適用可能である。
【００２１】
ストラップ２を紐穴１１に接続するため、まず、取り外し可能なカバー部材４が、電子装置１のハウジング３から取り外される。
【００２２】
そして、ストリングループ部６を、紐穴１１に通し、更に、ストラップ２の残った部分を、舌状部１２の逆側のストリングループ部６に通す。これにより、図３Ｂに最もよく示されているように、ノットを形成する。その後、取り外し可能なカバー部材４が、再度、電子装置１のハウジング３に取り付けられる。これにより、紐穴１１を有する、内方突出舌状部１２が外方から見えないようにする。そうすれば、図１及び図２を参照して説明したように、ストラップ２のストリングループ部６用の、小さな開口部１０のみが、外側から見えるようになる。
【００２３】
取り外し可能なカバー部材を再度取り付ける間、ストラップ２のストリングループ部６がちゃんと開口部１０内を通っているか確かめなければならない。
【００２４】
図４Ａ及び図４Ｂは、電子装置１のハウジング３の側壁部１４の内方に面した部分に紐穴１１が設けられた、ストラップ取付手段の第２実施形態を示している。そこに示された部分同士の少し違いがあろうとも、同じ機能を有する似た部分には図１、２、３Ａ及び３Ｂに用いられたのと同じ参照番号を用いて説明する。例えば、ハウジングは、図１、図２、図３Ａ及び図３Ｂにおいて、３という参照番号で示した。図４Ａでは、ハウジングの構成に小さな違いがあるが、同じく参照番号３でハウジングを示している。同じことが、下記の図５Ａ及び図５Ｂについても適用されている。
【００２５】
図４Ａ及び図４Ｂに示された壁部１４は、紐穴１１が形成できるように比較的厚くなっている。そして、貫通穴が、壁部１４の上端９から壁部１４の内側面（不図示）に向けて形成されている。また、破線で示したように、取り外し可能なカバー部材が電子装置１に取り付けられると、紐穴１１を有する取付手段は、完全に見えなくなる。
【００２６】
ストラップ２を紐穴１１に接続するため、取り外し可能なカバー部材４は、まず、電子装置１のハウジング３から取り外される。
【００２７】
そして、ストリングループ部６が、紐穴１１に通され、ストラップ２の残りの部分が、舌状部１２の逆側のストリングループ部６を通され、図４Ｂによく示されているようにノットを形成する。その後、取り外し可能なカバー部材４は、再度、電子装置１のハウジング３に取り付けられ、それによって、壁部１４の上端９を隠す。
【００２８】
図１及び図２を参照して説明したように、ストラップ２のストリングループ部６のための小さな開口部１０のみが、外側から見える。
【００２９】
図５Ａ及び図５Ｂは、電子装置１のハウジング３の内部にフック１５が設けられた、ストラップ取付手段の第３実施形態を示している。フック１５は、ハウジング３の端部９から内方に突出しており、破線で示される取り外し可能なカバー部材４によって完全に隠される。
【００３０】
ストラップ２をフック１５に接続するには、まず、取り外し可能なカバー部材４を電子装置１のハウジング３から取り外し、図５Ｂに最もはっきりと示されているようにストリングループ部６をうまく操って、フック１５の周りに巻き付ける。その後、取り外し可能なカバー部材４を、電子装置１のハウジング３に再度とりつける。これにより、内方に突出したフック１５は外方から見えなくなる。そして、図１及び２を参照して説明したように、ストラップ２のストリングループ部６用の小さな開口部１０のみが外観に表われる。  上述した実施形態によれば、ユーザがそう望めば、ストラップは簡単に携帯電子装置１に取り付けられる。しかし、ユーザがストラップ２を取り付けないという選択を行なった場合でも、本発明に係る携帯電子装置１の要素構成によれば、小さな開口部１０しかが外観に表われないことになる。この小さな開口部１０は、従来のストラップ取付手段のように、電子装置１の全体的な外観を損なうことはない。
【００３１】
上述した実施形態によれば、ストラップ２用の開口部１０は、取り外し可能なカバー部材４の端部に設けられた凹部８とハウジング３の端部９とによって形成される。もちろん、この凹部がハウジング側に設けられ、取り外し可能なカバー部材側はまっすぐな端部であってもよい。或いは、ハウジングと取り外し可能なカバー部材の両方に小さな凹部が形成され、一緒になってストラップ用の開口部を形成してもよい。
【００３２】
また或いは、開口部は、ハウジングまたは取り外し可能なカバー部材に設けられた貫通孔であってもよい。その場合、ストラップは、ハウジング内に配置されたストラップ取付手段に取り付けるために、ハウジングまたは取り外し可能なカバー部材の外側から開口部に導入されなければならない。これによると、ストラップの取付けは、上述の実施形態よりも困難なものとなるが、より適当な位置に開口を配置することが可能となる。
【００３３】
携帯電子装置は、携帯電話として説明してきた。
【００３４】
しかし、本発明に係る携帯電子装置の構成は、他のタイプの携帯電子装置にも適用可能である。例えば、カメラ、ビデオカメラ、無線機、及び、ユーザが持ち運ぶ他の小さなサイズの電子装置に適用できる。
【００３５】
もちろん、ストラップ取付手段の構成は、図３Ａ〜図５Ｂに示した紐穴やフック以外であってもよい。例えば、取り外し可能なカバー部材の下側でハウジングに配置された挟み込み装置（クランピングデバイス）であってもよい。或いは、ストラップがねじでハウジングに固定される形態でもよい。
【００３６】
また、ストラップは、図１〜図５Ｂに示される構成に限定されない。
【図面の簡単な説明】
【００３７】
【図１】本発明の第１実施形態に係るストラップを取り付けた携帯電子装置の一部を示す図である。
【図２】図１と同じ部分の、ストラップが無い状態を示す図である。
【図３Ａ】電子装置のハウジングにおける内方に突出した舌状部分に、紐穴が設けられた、ストラップ取付手段の第１実施形態を示す図である。
【図３Ｂ】電子装置のハウジングにおける内方に突出した舌状部分に、紐穴が設けられた、ストラップ取付手段の第１実施形態を示す図である。
【図４Ａ】電子装置のハウジングの壁部の内方に面した部分に、紐穴が設けられた、ストラップ取付手段の第２実施形態を示す図である。
【図４Ｂ】電子装置のハウジングの壁部の内方に面した部分に、紐穴が設けられた、ストラップ取付手段の第２実施形態を示す図である。
【図５Ａ】電子装置のハウジングの内方にフックが設けられた、ストラップ取付手段の第３実施形態を示す図である。
【図５Ｂ】電子装置のハウジングの内方にフックが設けられた、ストラップ取付手段の第３実施形態を示す図である。
【図１】
2005538559.tif 000003
【図２】
2005538559.tif 000004
【図３Ａ】
2005538559.tif 000005
【図３Ｂ】
2005538559.tif 000006
【図４Ａ】
2005538559.tif 000007
【図４Ｂ】
2005538559.tif 000008
【図５Ａ】
2005538559.tif 000009
【図５Ｂ】
2005538559.tif 000010
【国際調査報告】
2005538559.tif 000011
2005538559.tif 000012